(57)【要約】【課題】従来の電気掃除機には、集塵袋を集塵室より取り出しやすくするために、集塵室内部に着脱可能なバスケットを装着したものがあるが、バスケットを集塵室内に装着しようとした場合、集塵容積の減少あるいは掃除機本体の大型化のどちらか一方が避けられない上に、部品点数の増加によりコストが増大する。【解決手段】電動送風機８および集塵室７を備えた掃除機本体１と、掃除機本体に開閉自在に設けられ、集塵室の開口を覆う蓋体５と、集塵室に装着される集塵袋７と、一端が該掃除機本体に接続されたホース体１４と、一端が該ホースの他端に接続された接続管１６と、該接続管の他端に接続された吸口体１７とを備えた電気掃除機において、集塵袋に接着された口板７ａの穴７ｂに、ハンドル１０を着脱自在に取り付けた。【選択図】  図９
2011234897.tif 000002
【特許請求の範囲】
【請求項１】
電動送風機及び集塵室を備えた掃除機本体と、前記掃除機本体に開閉自在に設けられ、前記集塵室の開口を覆う蓋体と、前記集塵室に装着される集塵袋と、一端が前記掃除機本体に接続されたホースと、一端が前記ホースの他端に接続された接続管と、前記接続管の他端に接続された吸口体とを備えた電気掃除機において、
前記集塵袋は、前記集塵袋に接着され集塵室に固定可能な口板を備え、
前記口板に形成された被係合部分にハンドルを着脱自在に取り付けたことを特徴とする電気掃除機。
【請求項２】
請求項１に記載された電気掃除機において、
前記ハンドルは、前記口板への装着部分を支点として所定の角度で旋回することを特徴とする電気掃除機。
【請求項３】
請求項１または２の何れかに記載された電気掃除機において、
前記ハンドルは、前記ハンドルを略垂直に起こした時に、前記口板を前記集塵室に固定するクランプを解除することを特徴とする電気掃除機。
【請求項４】
請求項１から３の何れかに記載された電気掃除機において、
前記ハンドルは、プラスチックで構成されていることを特徴とする電気掃除機。
【請求項５】
請求項１から３の何れかに記載された電気掃除機において、
前記ハンドルは、金属とプラスチックから構成されていることを特徴とする電気掃除機。
【請求項６】
請求項１から５の何れかに記載された電気掃除機において、
前記ハンドルは、略コの字形状を有する部材で構成され、
前記ハンドルの略コの字形状を有する部材の先端部が、前記口板に形成された被係合部分に係合され、
前記ハンドルの略コの字形状を有する部材の根元部が、使用者のための把手部を形成することを特徴とする電気掃除機。
【請求項７】
電動送風機と、前記電動送風機に連通する集塵室と、前記集塵室に着脱自在な風塵袋であって口板と口板に取り付けられた袋体とを有する集塵袋とを備えた電気掃除機において、
前記口板に着脱自在なハンドルを備え、
前記口板は、塵埃が通過する吸込口以外に、穴を有し、
前記ハンドルの一部が前記口板の穴に着脱自在に挿入され、挿入された状態から前記ハンドルが旋回した場合に前記ハンドルの一部が前記口板の穴と係合可能であることを特徴とする電気掃除機。
【請求項８】
請求項７に記載された電気掃除機において、
前記ハンドルが少なくとも前記集塵室からの前記口板の取り外し方向まで旋回した状態では、前記ハンドルの一部が口板の穴と係合可能であることを特徴とする電気掃除機。
【請求項９】
電動送風機と、前記電動送風機に連通する集塵室と、前記集塵室に着脱自在な風塵袋であって口板と口板に取り付けられた袋体とを有する集塵袋とを備えた電気掃除機において、
正面から見て略コの字形状を有する部材を備え、
前記口板は、前記集塵室に形成された吸込口に対応する第１の貫通穴以外に、少なくとも２つの第２の貫通穴を有し、
前記部材の略コの字形状の２つの先端部の断面は、前記第２の貫通穴よりも小さく、
前記部材の略コの字形状の２つの先端部の間隔は、正面から見て２つの前記第２の貫通穴の間隔に対応し、
前記部材の略コの字形状の２つの先端部は、側面から見て略凸状に屈曲した形状を有することを特徴とする電気掃除機。
【発明の詳細な説明】
【技術分野】
【０００１】
本発明は、集塵袋式の電気掃除機に関するものである。
【背景技術】
【０００２】
集塵袋を備えた従来の電気掃除機には、集塵袋を集塵室から取り出しやすくするために、集塵室内部に着脱可能な取手（ハンドル）を備えたバスケットを装着したもの（例えば特許文献１）や、集塵袋の口板にハンドル部を備えた集塵袋ホルダを取り付けて、集塵室前部に上下方向に摺動可能にしたもの（例えば特許文献２）が提案されている。
【先行技術文献】
【特許文献】
【０００３】
【特許文献１】特開２０００−１０２５００号公報
【特許文献２】特開２００９−２９７１５４号公報
【発明の概要】
【発明が解決しようとする課題】
【０００４】
しかしながら、特許文献１のようにバスケットを集塵室内に装着しようとした場合、集塵容積の減少あるいは掃除機本体の大型化のどちらか一方が避けられない。なぜならば、掃除機本体の大きさを従来通りとすれば、バスケットの部品が占める体積の分だけ集塵容積は減少し、一方で、集塵容積を従来通りとすれば、バスケットの部品が占める体積の分だけ掃除機本体が大きくなるためである。さらに、部品点数が増えるため、構造が複雑化する上に、コスト低減が難しくなる。
【０００５】
また、特許文献２についても、特許文献１同様に部品点数が多くなるため、構造が複雑となり、コスト高となってしまう。集塵袋の口板の左右両端を集塵袋ホルダの集塵袋クランプ部のレールに挿入して保持するという構造であるため、集塵袋ホルダが大型となってしまう。また、集塵袋を電気掃除機の集塵室内に装着した状態にするには、大型の集塵袋ホルダも集塵室内に装着した状態とする必要があるため、特許文献１同様に集塵容積の減少あるいは掃除機本体の大型化のどちらか一方が避けられない。
【０００６】
本発明の目的は、簡素な部品を用いることにより、掃除機本体を大型化せずに集塵容積を確保して、かつ容易に集塵室から集塵袋を取り出すことのできる電気掃除機を提供することである。
【課題を解決するための手段】
【０００７】
本発明は、電動送風機および集塵室を備えた掃除機本体と、該掃除機本体に開閉自在に設けられ、前記集塵室の開口を覆う蓋体と、前記集塵室に装着される集塵袋と、一端が前記掃除機本体に接続されたホースと、一端が該ホースの他端に接続された接続管と、該接続管の他端に接続された吸口体とを備えた電気掃除機において、前記集塵袋は、該集塵袋に接着され前記集塵室に固定する口板を備え、該口板に形成された被係合部分にハンドルを着脱自在に取り付けたことを特徴とする。
【０００８】
好ましくは、本発明の前記ハンドルは、プラスチックのみ、又は金属とプラスチックから構成されたものである。
【０００９】
好ましくは、本発明の前記ハンドルは、口板への装着部分を支点として所定の角度で旋回するものである。さらに好ましくは、略垂直に起こした時に前記口板を前記集塵室に固定するクランプを解除する。
【００１０】
好ましくは、本発明のハンドルは、略コの字形状を有する部材で構成され、ハンドルの略コの字形状を有する部材の先端部が、口板に形成された被係合部分に係合され、ハンドルの略コの字形状を有する部材の根元部が、使用者のための把手部を形成する。
【００１１】
または、本発明は、口板に着脱自在なハンドルを備え、口板は、塵埃が通過する吸込口以外に、穴を有し、ハンドルの一部が口板の穴に着脱自在に挿入され、挿入された状態からハンドルが旋回した場合にハンドルの一部が口板の穴と係合可能であることを特徴とする。
【００１２】
好ましくは、ハンドルが少なくとも集塵室からの口板の取り外し方向まで旋回した状態では、ハンドルの一部が口板の穴と係合可能である。
【００１３】
または、本発明は、正面から見て略コの字形状を有する部材を備え、口板は、集塵室に形成された吸込口に対応する第１の貫通穴以外に、少なくとも２つの第２の貫通穴を有し、部材の略コの字形状の２つの先端部の断面は、第２の貫通穴よりも小さく、部材の略コの字形状の２つの先端部の間隔は、正面から見て２つの第２の貫通穴の間隔に対応し、部材の略コの字形状の２つの先端部は、側面から見て略凸状に屈曲した形状を有することを特徴とする。
【発明の効果】
【００１４】
本発明によれば、簡素な部品を用いることにより、掃除機本体を大型化せずに集塵容積を確保して、かつ容易に集塵室から集塵袋を取り出すことができる。
【図面の簡単な説明】
【００１５】
【図１】本発明の実施例に係る電気掃除機全体を示す外観斜視図である。
【図２】本発明の実施例に係る蓋体が開かれた状態における掃除機本体の外観斜視図である。
【図３】本発明の実施例に係る掃除機本体の中央断面の概略図である。
【図４】本発明の実施例に係る集塵室付近の中央断面図である。
【図５】本発明の実施例に係るハンドルの外観斜視図である。
【図６】本発明の実施例に係るハンドルの外観正面図と外観側面図である。
【図７】本発明の実施例に係る集塵袋の外観正面図である。
【図８】本発明の実施例に係るハンドルを装着した集塵袋の外観正面図と外観側面図である。
【図９】本発明の実施例に係るハンドルの動きを示した集塵室の概略図である。
【発明を実施するための形態】
【００１６】
本発明は、電動送風機および集塵室を備えた掃除機本体と、該掃除機本体に開閉自在に設けられ、前記集塵室の開口を覆う蓋体と、前記集塵室に装着される集塵袋と、一端が前記掃除機本体に接続されたホースと、一端が該ホースの他端に接続された接続管と、該接続管の他端に接続された吸口体とを備えた電気掃除機において、前記集塵袋は、該集塵袋に接着され前記集塵室に固定する口板を備え、該口板に形成された被係合部分（例えば、穴，屈曲部分）にハンドルを着脱自在に取り付けたことを特徴とする。
【００１７】
好ましくは、本発明の前記ハンドルは、プラスチックのみ、又は金属とプラスチックから構成されたものである。
【００１８】
好ましくは、本発明の前記ハンドルは、口板への装着部分を支点として所定の角度で旋回するものである。さらに好ましくは、略垂直に起こした時に前記口板を前記集塵室に固定するクランプを解除する。
【００１９】
好ましくは、本発明のハンドルは、略コの字形状を有する部材（例えば、ハンドルの金属部分）で構成され、ハンドルの略コの字形状を有する部材の先端部が、口板に形成された被係合部分に係合され、ハンドルの略コの字形状を有する部材の根元部が、使用者のための把手部を形成する。
【００２０】
または、本発明は、口板に着脱自在なハンドルを備え、口板は、塵埃が通過する吸込口以外に、穴を有し、ハンドルの一部（例えば、略コの字形状の２個所の先端部）が口板の穴に着脱自在に挿入され、挿入された状態からハンドルが旋回した場合にハンドルの一部が口板の穴と係合可能であることを特徴とする。
【００２１】
好ましくは、ハンドルが少なくとも集塵室からの口板の取り外し方向まで旋回した状態では、ハンドルの一部が口板の穴と係合可能である。
【００２２】
または、本発明は、正面から見て略コの字形状を有する部材（例えば、ハンドルの金属部分）を備え、口板は、集塵室に形成された吸込口（例えば、ホース差込口）に対応する第１の貫通穴（例えば、吸込口）以外に、少なくとも２つの第２の貫通穴（例えば、穴）を有し、部材の略コの字形状の２つの先端部の断面は、第２の貫通穴よりも小さく、部材の略コの字形状の２つの先端部の間隔は、正面から見て２つの第２の貫通穴の間隔に対応し、部材の略コの字形状の２つの先端部は、側面から見て略凸状に屈曲した形状（例えば、屈曲部）を有することを特徴とする。
【００２３】
そして、本発明によれば、簡素な部品を用いることにより、掃除機本体を大型化せずに集塵容積を確保して、かつ容易に集塵室から集塵袋を取り出すことができる。特に、略コの字形状の部材を主体としたことにより、掃除機本体を大型化せずに集塵容積を確保して、かつ容易に集塵室から集塵袋を取り出すことができる。
【００２４】
以下、実施例１，２を説明する。
【実施例１】
【００２５】
本発明の第１の実施例について、図１〜図９を用いて説明する。
【００２６】
図１は、電気掃除機の全体を示す外観斜視図である。図２は、蓋体が開かれた状態における掃除機本体の外観斜視図である。図３は、掃除機本体の側面から見た中央断面の概略図である。
【００２７】
電気掃除機は、掃除機本体１と、ホース体１４，接続管１６，吸口体１７などの付属品から構成される。掃除機本体１の後部の両側面には車輪２を、前部底面にはキャスター３を有し、床面を転がすことにより掃除機本体１を移動しながら掃除できるようになっている。掃除機本体１の内部には、後部に吸引力を発生する電動送風機８が設けられ、前部に塵埃を収容する集塵室９が設けられており、集塵室９には、紙，布，不織布等からなる通気性を有する集塵袋７を着脱自在に内置することができる。掃除機本体１の前側には、ホース差込口４が設けられ、ホース差込口４はゴムパッキンなどからなるホース差込口気密部材１３を介して集塵室９に連通している。一方、集塵室９の後面には、吸気口が設けられ、その吸気口を介して電動送風機８に連通する。ホース差込口４は、掃除機本体１の前端面ではなく、前部上面に設けられてもよい。
【００２８】
集塵室９の上面には集塵袋７を出し入れするための開口部を有し、この開口部には開閉自在に覆う蓋体５が備わる。蓋体５は、その後部を支点として開閉可能である。集塵室９の開口部には、集塵室９と蓋体５の気密を保持するようにゴムパッキンなどからなる気密部材６が取り付けられている。
【００２９】
ホース差込口４には内部に流路を有するホース体１４の一端が着脱自在に接続され、ホース体１４の他端には内部に流路を有する手元操作部１５が設けられ、その手元操作部１５に接続管１６の一端が着脱自在に接続されている。接続管１６の他端には、内部に流路を有し略Ｔ字形状を有する床用の吸口体１７が着脱自在に接続される。各部品間はいずれも通風可能に接続され、吸口体１７から吸い込んだ被清掃面（例えば、床面）のごみを、接続管１６，手元操作部１５，ホース体１４を介して集塵室９へ搬送し、集塵袋７に捕集することができる。吸口体１７と接続管１６との間、または接続管１６と手元操作部１５との間には、棚上など用の他の吸口体（例えば、手元ブラシ）が着脱自在に接続されてもよい。接続管１６は、軸方向に伸縮自在であるのが好ましい。
【００３０】
図４は、掃除機本体１のうち集塵室９付近の側面から見た断面図である。集塵袋７を掃除機本体１に装着し、集塵袋７が膨らんだ状態を示している。集塵室９の内部の前端には、集塵袋７を装着するためのリクライニング式の口板ガイド１１と、集塵袋７を保持するためのクランプ１２が設けられている。口板ガイド１１は、略板形状を有し、口板７ａの外形よりも大きい外形を有する。また、口板ガイド１１は、口板７ａの吸込口７ｃよりも大きい開口を有し、この開口から集塵室７の内側へホース差込口４の出口端が少し突出している。そして、側面から見て、口板ガイド１１は、下端部を支点として前後方向に揺動可能である。これによって、口板ガイド１１から口板７ａが着脱容易となる。上面から見て、口板ガイド１１の左右両端に、略Ｌ字形状または略コの字形状に屈曲しており、挿入された口板７ａを保持可能である。側面から見て、クランプ１２は、略Ｌ字形状または略コの字形状を有する。側面から見て、クランプ１２は前部を支点として前後方向に揺動可能である。クランプ１２は、口板ガイド１１よりも上側に配置される。クランプ１２は、口板ガイド１１に挿入された口板７ａの上端に装着可能である。
【００３１】
図７は、集塵袋の外観正面図である。集塵袋７は、板形状の口板７ａと、口板７ａに接着（接合）される袋状の袋体７ｄとから構成される。口板７ａは、厚紙で構成されるのが好ましいが、繊維，樹脂，金属等で構成されてもよい。袋体７ｄは、紙，布，不織布等からなるのが好ましいが、通気性を有していれば他の材料でもよい。また、袋体７ｄは、多層（例えば、３層）に構成されてもよい。口板７ａは、上下方向の略中央でかつ左右方向の略中央に、ホース差込口４の開口よりも若干大きい（数mm程度）、円形状で前後方向に貫通する穴（吸込口７ｃ）を有する。空気と共に被清掃面の塵埃が吸込口７ｃを通過する。袋体７ｄは１つの開口を有する。空気と共に被清掃面の塵埃が袋体７ｄの開口から袋体７ｄ内へ吸い込まれる。この袋体７ｄの開口の周囲が、口板７ａの吸込口７ｃの周囲に接着剤によって接着される。つまり、袋体７ｄは１の開口に口板７ａの吸込口７ｃが対応する。口板７ａのホース差込口４に対向する側を前側であるとすると、その反対側である口板７ａの後側に袋体７ｄが接着されるのが好ましい。口板７ａの上端の左右方向の略中央には、口板７ａが口板ガイド１１に正しく装着されていない場合には集塵室９に蓋体５が完全に閉まらないようにするための切欠き７ｅが形成されるのが好ましい。この切欠き７ｅが形成された側が口板７ａの上側となる。
【００３２】
そして、口板７ａの上下方向の中央よりも上側あるいは口板７ａの吸込口７ｃの上端よりも上側（好ましくは、上端部）の両隅（左右方向の両端部）に前後方向に貫通する穴７ｂ（図７参照）が２箇所設けられている。２箇所の穴７ｂの間隔は、ハンドル１０の２箇所の先端部（屈曲部１０Ｄ）の間隔に対応（略一致）する。穴７ｂは、２箇所が好ましいが、１箇所でもよいし、３箇所以上でもよい。穴７ｂは、両隅よりも、左右方向の中央に寄った位置に形成されてもよい。口板７ａを口板ガイド１１に沿って集塵室９内へ挿入し、クランプ１２で口板７ａを集塵室９に固定することにより、集塵袋７を集塵室９内に装着することができる。口板７ａの上側に穴７ｂが形成されているため、集塵室９に集塵袋７が装着された状態でも、穴７ｂにハンドル１０の装着が容易である。また、口板７ａの上側に穴７ｂが形成されているため、穴７ｂにハンドル１０を装着した使用者がハンドル１０を持った状態で、集塵袋７が安定する。
【００３３】
集塵袋７は、使用前（集塵室９に装着される前）は、袋体７ｄが前後方向に折りたたまれているのが好ましい。これによって、集塵袋７を梱包，搬送する場合のスペースを削減できる。折りたたまれた集塵袋７を集塵室９内に装着して電動送風機８を始動して電気掃除機を稼動すると、空気と共に被清掃面の塵埃が集塵袋７内に吸い込まれ、その塵埃によって徐々に袋体７ｄが膨らむ。
【００３４】
図２，図４に示すように、集塵室９の内部の後面（電動送風機８の吸気口の前側）には、格子状の移動部１８が形成される。集塵室９の内部に設けられた移動部１８は、集塵袋７を引き出す動作と同時に、集塵袋７とともに集塵室９の開口方向に向かって移動する。そのため、集塵袋７と集塵室９との摩擦抵抗が軽減され、塵埃で膨らんだ集塵袋７が集塵室９の内壁に接触している状態であっても、使用者に負荷をかけることなく簡単に集塵袋７を掃除機本体１から取り出して捨てることができる。移動部１８の左右方向の両端が、集塵室９の内部の後面に設けられた、上下方向に沿って形成された２つのガイドに保持されることによって、移動部１８は、上下方向にスライド可能に、集塵室９の内部に取り付けられる。但し、集塵室９の内部に設けられた移動部１８は、必須の構成ではなく、移動部１８は無くても何ら問題ない。
【００３５】
図５と図６は、集塵袋７に装着するハンドル１０の形状の一例である。ハンドル１０は金属部材とプラスチック部材から構成されている。図６に示すように、金属部分１０Ａは正面から見ると略コの字状をしており、略コの字状の２つの先端部のそれぞれに屈曲部１０Ｄを持つ。例えば、金属部分１０Ａは、金属製の丸棒（断面が円形状）を略コの字に２回折り曲げて製作することができる。略コの字形状には、上辺または底辺が開口した台形や、一部の辺が開口した多角形状（例えば、三角，四角，六角）も含まれる。図６（ｂ）に示すように、両隅の２箇所の屈曲部１０Ｄのそれぞれは、第１の屈曲部１０ａと第２の屈曲部１０ｂを有する。第１の屈曲部１０ａは根元側に位置し、第２の屈曲部１０ｂは先端側に位置する。図６（ｂ）に示すように、側面から見ると、金属部分１０Ａの直線部分に対して、第１の屈曲部１０ａでは、金属部分１０Ａが一方側（図６（ｂ）では左側）に４５度程度折れ曲がり、第２の屈曲部１０ｂでは、金属部分１０Ａが反対側に（図６（ｂ）では右側）９０度程度折れ曲がっている。よって、第１の屈曲部１０ａの屈曲方向と、第２の屈曲部１０ｂの屈曲方向とは異なり、反対側である。そして、側面から見ると、金属部分１０Ａの先端部は、屈曲部１０Ｄによって一方側（図６（ｂ）では左側）に凸状に突き出ており、第１の屈曲部１０ａよりも先端側では、略「く」の字形状を有する。第２の屈曲部１０ｂから先端までの長さは、第１の屈曲部１０ａから第２の屈曲部１０ｂまでの長さに比較して短い。よって、金属部分１０Ａの先端は、金属部分１０Ａの直線部分よりも一方側（図６（ｂ）では左側）に位置し、つまり、第１の屈曲部１０ａよりも一方側（図６（ｂ）では左側）に位置する。第１の屈曲部１０ａでは、第２の屈曲部１０ｂと同様に、９０度程度折れ曲がっていてもよい。
【００３６】
図５および図６（ｂ）に示すように、それぞれの屈曲部１０Ｄの根元をつなぐように、左右方向に渡って棒状のクランプ押さえ１０Ｂが形成されている。クランプ押さえ１０Ｂの左右方向の端部には、クランプ１２を押し上げるための凸部１０Ｅが設けられている。左右方向では、凸部１０Ｅはクランプ１２の位置に対応する位置に設けられている。そして、少なくとも集塵袋７の穴７ｂに金属部分１０Ａの屈曲部１０Ｄが挿入されてハンドル１０が立った状態（ハンドル１０の形成方向が上下方向になった状態）では、凸部１０Ｅは、クランプ１２の後側端部の下面に当接する。凸部１０Ｅは、屈曲部１０Ｄの突出している側と同じ方向に突出している。ただし、クランプ押さえ１０Ｂは必須の構成ではない。また、金属部分１０Ａの略コの字形状の根元の中央部分には、ハンドル１０を把持するための持ち手部分１０Ｃが取り付けられている。金属部分１０Ａのみでも使用者はハンドル１０を把持できるため、持ち手部分１０Ｃも必須の構成ではない。コスト，成型しやすさの面から、クランプ押さえ１０Ｂと持ち手部分１０Ｃはプラスチック部材で作ることが望ましい。さらにコストを考えると全てプラスチックでの構成も考えられる。しかし、特に集塵袋７の口板７ａに取り付けるハンドル１０の２箇所の屈曲部１０Ｄには負荷が掛かり、折れたりする心配があるため、金属材で造るのが望ましい。金属部分１０Ａの直線部分と、屈曲部１０Ｄとは別部品で構成されてもよい。ハンドル１０は、板形状で、その板の下端の左右両端に屈曲部１０Ｄを有し、その板の上側が開口していて持ち手部分１０Ｃを形成する形状であってもよい。
【００３７】
集塵袋７の口板７ａの上部に設けられた２箇所の穴７ｂに、金属部分１０Ａの両端の屈曲部１０Ｄをそれぞれクランプ押さえ１０Ｂに達するまで差し込むことで、集塵袋７を保持することができる。使用者は持ち手部分１０Ｃを持って集塵室９の開口部方向へ回動させると、クランプ押さえ１０Ｂの凸部１０Ｅがクランプ１２の端部を下から押して、集塵袋７の固定を解除することができる。同時に、このクランプ押さえ１０Ｂには、金属部分１０Ａの形状が変形するのを防ぐ働きも持ち合わせている。
【００３８】
本実施例では集塵袋７の口板７ａの上部に設けられた２箇所の穴７ｂの形状を丸穴、またハンドル１０の金属部分１０Ａと両端の屈曲部１０Ｄの断面形状が丸である丸棒の構成としたが、集塵袋７の口板７ａに設けられた穴７ｂの形状、およびハンドル１０の金属部分１０Ａ，屈曲部１０Ｄの断面形状については、上下方向に長い楕円形状や長丸，左右方向に長い略楕円形状や長丸，多角形状（例えば、三角，四角，六角）でも良い。また、穴７ｂの大きさ（丸穴の場合、丸穴径Ｑ）〔図７参照〕は、穴７ｂに屈曲部１０Ｄ（丸棒の場合、丸棒の直径Ｐ）〔図６（ａ）参照〕が入るように、丸穴径Ｑと丸棒の直径Ｐが同じ大きさか、または丸穴径Ｑが丸棒の直径Ｐより大きい構成とする。また、ハンドル１０のクランプ押さえ１０Ｂには凹部１０Ｆを設けているが、凸部１０Ｅの単一形状でもよい。
【００３９】
次に、ハンドル１０を含む電気掃除機の操作方法を、図８〜図９を用いて説明する。
【００４０】
図８（ａ）（ｂ）は、集塵袋７の口板７ａの上部にハンドル１０を装着した状態を示している。集塵袋７の口板７ａの上部に設けられた２ヶ所の穴７ｂに、集塵袋７側からハンドル１０の金属部分１０Ａの両端の屈曲部１０Ｄの先端をそれぞれ差し込む。その時に金属部分１０Ａの屈曲部１０Ｄの第１の屈曲部１０ａが口板７ａに到達したところでハンドル１０を口板７ａと垂直になる方向へ回動させて再び差し込むと、金属部分１０Ａの第２の屈曲部１０ｂまで穴７ｂに差し込むことができる（穴７ｂを貫通することができる）。この状態でハンドル１０をさらに口板７ａと垂直になる方向へ回動させると、集塵袋７はハンドル１０に保持される。集塵袋７内に塵埃が堆積すると、集塵袋７の重心は、膨らんだ袋体７ｄ側に位置する。よって、側面から見ると、略垂直に立てられた口板７ａの穴７ｂの上側は口板７ａの後面側に変位しようとし、口板７ａの穴７ｂの下側は口板７ａの前面側に変位しようとする。よって、側面から見ると、ハンドル１０の第１の屈曲部１０ａ付近の一方側の面（図８（ｂ）では左側）が、口板７ａの穴７ｂの上側の後面から力を受け、ハンドル１０の第２の屈曲部１０ｂの先端が、口板７ａの穴７ｂの下側の前面から力を受ける。ハンドル１０の金属部分１０Ａの先端（第２の屈曲部１０ｂの先端）が、金属部分１０Ａの直線部分よりも、口板７ａ側（図８（ｂ）では左側）に位置しているため、ハンドル１０が口板７ａに係合して保持した状態では金属部分１０Ａの直線部分の形成方向が、口板７ａの形成方向と略平行となり、口板ガイド１１からの口板７ａの着脱方向とも略平行となるため、ハンドル１０の引っ張り方向と口板ガイド１１からの口板７ａの着脱方向とが略平行となるため、使用者は、ハンドル１０を使って集塵袋７を集塵室７から取り外ししやすい。
【００４１】
ここで、図８（ｂ）にあるようにハンドル１０を集塵袋７に取り付けて、掃除機本体１の集塵室９へ挿入し、ハンドル１０を口板７ａとほぼ直角になるように電動送風機８側に倒した時には、口板７ａの位置は屈曲部１０Ｄの第２の屈曲部１０ｂ付近にあり、また集塵袋７を取り出すためにハンドル１０を口板７ａと垂直になる位置へ回動させた時には、口板７ａの位置は屈曲部１０Ｄの第１の屈曲部１０ａ付近に移動する。つまり、ハンドル１０は口板７ａとの接触部分（装着部分）を軸（支点）として、口板７ａと垂直の位置から、電動送風機８側に倒して口板７ａとほぼ直角となる範囲で旋回（転角）する。
【００４２】
このようにハンドル１０を装着した集塵袋７の口板７ａを、集塵室９の内部に設けられた口板ガイド１１に沿って集塵室９内へ挿入し、使用者がクランプ１２を操作してクランプ１２によって口板７ａを集塵室９に固定し、使用者がハンドル１０を集塵袋７の袋体７ｄ側へ倒すことで、集塵袋７の掃除機本体１への装着が完了する。ハンドル１０を装着した集塵袋７を掃除機本体１へ取り付け、蓋体５を閉めた状態が図９（ａ）である。
【００４３】
この状態で掃除機本体１を運転して塵埃を集塵袋７に捕集すると、集塵袋７に塵埃が溜まり、やがて集塵袋７は膨らみ、ハンドル１０は、集塵袋７の膨らみを妨げることなく蓋体５と集塵袋７の間に挟まれるように収納される。集塵袋７が膨らんだ状態でも、蓋体５の内面と集塵袋７の外上面との間にはゆとりがあるため（間隙があってもよいし、間隙がなくても袋体７ｄは変形可能なためゆとりがある）、ハンドル１０を口板７に取り付けて集塵室９内に残すことができる。特に、ハンドル１０は、平面状（略２次元状）であるため、集塵室９内に残しても邪魔にならない。集塵袋７は上面からも排気可能であるが、ハンドル１０は略コの字形状の金属部分１０Ａとクランプ押さえ１０Ｂを主体に構成されており、大部分が開口しているため、集塵袋７の上面に残されたとしても、排気効率の低下を抑制できる。ただし、集塵室９内への集塵袋７の装着時には、ハンドル１０を用いなくてもよいし、集塵袋７を集塵室９内に残さず、集塵室９外に保管してもよい。
【００４４】
通常は、集塵袋７が塵埃で一杯になったときに、集塵袋７を集塵室９から取り出して新しい集塵袋と交換する。集塵袋７の交換時には、図９（ｂ）に示したように、ハンドル１０の持ち手部分１０Ｃを持って、口板７ａと垂直になる方向に集塵室９の開口上方へ回動させると、図９（ｃ）のように、クランプ押さえ１０Ｂの凸部１０Ｅがクランプ１２を押し、クランプ１２による固定が解除される。それにより、図９（ｄ）に示したように、口板ガイド１１が下端部を支点として電動送風機８側に傾斜するので、持ち手部分１０Ｃを持ったままハンドル１０と集塵袋７を集塵室９の開口部方向に引き上げると、集塵室９から集塵袋７をハンドル１０と共に取り出すことができる。
【００４５】
これらの機能により、一方の手でハンドル１０を持ち、もう一方の手でクランプ１２の固定を外す必要がなく、両手を使わずに集塵袋７を集塵室９から簡単に取り出すことができる。さらに、図９（ｄ）に示したように、集塵室９の内部に設けられた移動部１８が集塵袋７の摩擦抵抗にとって、一緒に上方に移動するために、集塵袋７を集塵室９から取り出す際の抵抗を更に軽減することができる。
【００４６】
集塵袋７の交換時には、塵埃で一杯になった集塵袋７の口板７ａからハンドル１０を取り外して集塵袋７を廃棄し、新しい集塵袋７の口板７ａにハンドル１０を取り付ければよい。
【００４７】
また、ハンドル１０の構造が単純，簡素であるため、集塵容積や掃除機本体１の大きさ、コストに大きな影響を与えない。
【実施例２】
【００４８】
ハンドル１０を口板７ａに係合する機構として、口板７ａに穴７ｂ（被係合部分）を形成する代わりに、口板７ａの上端を後面側に９０度以上折り曲げ（被係合部分）、ハンドル１０の屈曲部１０Ｄを一方側に凸状に突出する構成とする代わりに、ハンドル１０の屈曲部１０Ｄを一方側に９０度以上折り曲げる構成としてもよい。口板７ａの上端の屈曲部に、ハンドル１０の屈曲部１０Ｄを下側から係合することによって、口板７ａにハンドル１０を装着する。使用者は、ハンドル１０を引っ張ることによって口板７ａを集塵室９から取り出すことができる。
【符号の説明】
【００４９】
１  掃除機本体
２  車輪
３  キャスター
４  ホース差込口
５  蓋体
６  気密部材
７  集塵袋
７ａ  口板
７ｂ  穴
７ｃ  吸込口
７ｄ  袋体
７ｅ  切欠き
８  電動送風機
９  集塵室
１０  ハンドル
１０Ｂ  クランプ押さえ
１０Ｄ  屈曲部
１０ａ  第１の屈曲部
１０ｂ  第２の屈曲部
１１  口板ガイド
１２  クランプ
１３  ホース差込口気密部材
１４  ホース体
１５  手元操作部
１６  接続管
１７  吸口体
１８  移動部
【図１】
2011234897.tif 000003
【図２】
2011234897.tif 000004
【図３】
2011234897.tif 000005
【図４】
2011234897.tif 000006
【図５】
2011234897.tif 000007
【図６】
2011234897.tif 000008
【図７】
2011234897.tif 000009
【図８】
2011234897.tif 000010
【図９】
2011234897.tif 000011